【事件の表示】
　特許第３０２８８０６号「空気清浄装置」の請求項１ないし５に係る特許に対する特許異議の申立てについて、次のとおり決定する。
【結　論】
　訂正を認める。
　特許第３０２８８０６号の請求項１ないし４に係る特許を維持する。
【理　由】
１．手続の経緯
　本件特許第３０２８８０６号発明は、平成１０年８月２６日に出願され、平成１２年２月４日にその特許の設定登録がなされ、その後、株式会社デンソーより特許異議申立がなされ、取消理由通知がなされ、その指定期間内である平成１３年２月１３日に訂正請求がなされたものである。　
　　　
２．訂正の適否についての判断
 (ａ)訂正の内容
　本件訂正請求は、
訂正事項ａ
　特許請求の範囲が
「【請求項１】
　ケーシング(2) 内の風路(F) に、光の照射を受けて空気流中の汚染物質を浄化する光触媒を担持した光触媒担持体(5) が配置されている空気清浄装置(1) において、
　上記ケーシング(2) は、自動車(C) の車室内に設置されるものであって、太陽光を内部に通す窓(20)を有し、
　光触媒担持体(5) は、窓(20)を通して太陽光の照射を受けるように、窓(20)の奥に配置され、
　光触媒担持体(5) に光を照射する光源(6) が備えられたことを特徴とする空気清浄装置。
【請求項２】
　請求項１に記載の空気清浄装置(1) において、上記ケーシング(2) は自動車のリヤトレイ(91)に配置されるものであることを特徴とする空気清浄装置。
【請求項３】
　請求項２に記載の空気清浄装置(1) において、上記窓(20)は空気を吹き出す吹出口(12)を兼用することを特徴とする空気清浄装置。
【請求項４】
　請求項３に記載の空気清浄装置(1) において、上記吹出口(12)は、空気流を真上よりも自動車(C) の進行方向(Y) に関して後向きに吹き出す複数のスリット(9) を含むことを特徴とする空気清浄装置。
【請求項５】
　請求項３に記載の空気清浄装置(1) において、上記吹出口(12)は、空気流を上向きに吹き出す複数のスリット(9) を含むことを特徴とする空気清浄装置。」
とあるのを
「【請求項１】
　ケーシング(2) 内の風路(F) に、光の照射を受けて空気流中の汚染物質を浄化する光触媒を担持した光触媒担持体(5) が配置されている空気清浄装置(1) において、
　上記ケーシング(2) は、自動車(C) の車室内に設置されるものであって、太陽光を内部に通す窓(20)を有し、
　光触媒担持体(5) は、窓(20)を通して太陽光の照射を受けるように、窓(20)の奥に配置され、
　光触媒担持体(5) に光を照射する光源(6) が備えられ、
　上記窓(20)は空気を吹き出す吹出口(12)を兼用し、
　この吹出口(12)として機能するスリット(9)の周縁には風向規制部材(8)が設けられ、この風向規制部材(8)は光を反射する表面を有していることを特徴とする空気清浄装置。
【請求項２】
　請求項１に記載の空気清浄装置(1) において、上記ケーシング(2) は自動車のリヤトレイ(91)に配置されるものであることを特徴とする空気清浄装置。
【請求項３】
　請求項１に記載の空気清浄装置(1) において、上記吹出口(12)は、空気流を真上よりも自動車(C) の進行方向(Y) に関して後向きに吹き出す複数のスリット(9) を含むことを特徴とする空気清浄装置。
【請求項４】
　請求項１に記載の空気清浄装置(1) において、上記吹出口(12)は、空気流を上向きに吹き出す複数のスリット(9) を含むことを特徴とする空気清浄装置。」
と訂正し、
訂正事項ｂ
　明細書の【０００４】乃至【００１０】が
　「【０００４】
【課題を解決するための手段】
　この目的を達成するため、……光触媒担持体は、窓を通して太陽光の照射を受けるように、窓の奥に配置され、光触媒担持体(5)に光を照射する光源(6) が備えられたことを特徴とする。
【０００５】
　この構成によれば、…略…浄化作用を得られる。
　ここで、窓は、…略…ケーシング内の位置である。
【０００６】…略…
【０００７】
　ここで、…略…をも含んでいる。
　請求項３に記載の発明の空気清浄装置は、請求項２に記載の空気清浄装置において、上記窓は空気を吹き出す吹出口を兼用することを特徴とする。
【０００８】
　この構成によれば、…略…太陽光をより一層有効に利用することができる。
【０００９】
　請求項４に記載の発明の空気清浄装置は、請求項３に記載の空気清浄装置において、…略…を特徴とする。
　この構成によれば、請求項３に記載の発明の作用に加えて、…略…
【００１０】
　請求項５に記載の発明の空気清浄装置は、請求項３に記載の空気清浄装置において、…略…」とあるのを
「【０００４】
【課題を解決するための手段】
　この目的を達成するため、…略…光触媒担持体に光を照射する光源 が備えられ、上記窓は空気を吹き出す吹出口を兼用し、この吹出口として機能するスリットの周縁には風向規制部材が設けられ、この風向規制部材は光を反射する表面を有していることを特徴とする。
【０００５】
　この構成によれば、…略…浄化作用を得られる。
　また、窓を吹出口と別に設けずに済むうえに、この吹出口は空気清浄装置に通常設けられるので、構成を簡素化できる。
　また、吹出口と兼用の窓は、太陽光をそのまま通すことができるので、太陽光をより一層有効に利用することができる。
　ここで、窓は、…略…ケーシング内の位置である。
【０００６】…略…
【０００７】
　ここで、…略…をも含んでいる。（以下削除）
【０００８】（削除）
【０００９】
　請求項３に記載の発明の空気清浄装置は、請求項１に記載の空気清浄装置において、…略…を特徴とする。
　この構成によれば、請求項１に記載の発明の作用に加えて、…略…
【００１０】
　請求項４に記載の発明の空気清浄装置は、請求項１に記載の空気清浄装置において、…略…」
と訂正し、
訂正事項ｃ
　明細書の【００４５】乃至【００４７】が
「【００４５】
【発明の効果】
　請求項１に記載の発明によれば、…略…浄化作用を得ることができる。
　請求項２に記載の発明によれば、…略…太陽光を有効に利用し易い。
【００４６】
　請求項３に記載の発明によれば、…略…ができる。
【００４７】
　請求項４に記載の発明によれば、請求項３に記載の発明の効果に加えて、…略…済む。
　請求項５に記載の発明によれば、請求項３に記載…略…。」とあるのを
「【００４５】
【発明の効果】
　請求項１に記載の発明によれば、…略…浄化作用を得ることができる。
　空気清浄装置に通常設けられる吹出口と窓とを兼用しているので、構成を簡素化できる。
　また、吹出口と兼用の窓は、太陽光をそのまま通してより一層有効に利用することができる。
　請求項２に記載の発明によれば、…略…太陽光を有効に利用し易い。
【００４６】（削除）
【００４７】
　請求項３に記載の発明によれば、請求項１に記載の発明の効果に加えて、…略…済む。
　請求項４に記載の発明によれば、請求項１に記載…略…。」
と訂正するものである。
　　　
 (ｂ)訂正の目的の適否、拡張・変更の存否、及び新規事項の追加の有無
  訂正事項ａは、請求項３に「窓は空気を吹き出す吹出口を兼用すること」が記載され、願書に添付された明細書（以下、特許明細書という。）の【００２１】に「スリット９は、すべて、窓２０として機能するとともに、吹出口１２としても機能する。スリット９は、ケーシング２の長手方向に長い矩形の開口であり、その周縁には、風向規制部材８が設けられている。…」、及び【００２３】に「風向規制部材８が、光を反射する表面を有している場合がある。……風向規制部材８が太陽光を妨げることがあったとしても、太陽光は風向規制部材８の表面で反射されて、ケーシング２内に至ることができる。」と記載されているから、請求項１における窓（２０）の態様を請求項３及び明細書に記載されている「上記窓(20)は……光を反射する表面を有している」という事項で限定したものであるか、又は、請求項１の訂正に伴って他の請求項の記載を整合させるための訂正であるから、特許明細書に記載された範囲内の事項であって、特許請求の範囲の減縮または明りょうでない記載の釈明に該当する。
　訂正事項ｂ及びｃは、特許請求の範囲の訂正に伴って、特許明細書の記載を特許請求の範囲の記載に整合させるものであるから、明りょうでない記載の釈明に該当する。
　また、これらの訂正は特許請求の範囲を拡張し、又は変更するものでもない。
　　
　以上のとおりであるから、上記訂正請求は、特許法第１２０条の４第２項及び同条第３項で準用する第１２６条第２〜３項の規定に適合するので、当該訂正を認める。
　　
３．特許異議申立についての判断　
(ａ)本件特許発明
　本件請求項１〜４に係る発明は、訂正された特許明細書の記載からみて、上記訂正事項ａで示した特許請求の範囲に記載されたとおりのものと認められる。
　　
(ｂ)異議申立の概要
　異議申立人　株式会社デンソーは、甲第１号証（特願平９−２６８１８２号の願書に最初に添付した明細書：特開平１１−９０１７６号公報、先願明細書という。）を提出して、本件特許発明は、先願明細書に記載された発明と同一であるから、特許法第２９条の２の規定に違反してされたものであると主張している。
　　
(ｃ)対比・判断
　先願明細書には、空気清浄器に関する発明が記載され、具体的には、光触媒フィルタは光触媒を担持させている（【０００４】）ものであること、空気浄化装置は、車両の車室とトランクルームとを隔成しているリヤシェルフ上に載置され、リヤウインドウを介して外部から太陽光（紫外線）が照射されるようになっている（【００１３】）こと、光触媒フィルタと、光触媒フィルタ間に設けられた紫外線ランプとを備えている（【００１４】）こと、吹き出し口には、複数の傾斜した板状ブレードが形成されており、該ブレードの間に設けられたスリットを介して浄化された空気が排出され、リヤウインドを透過して入射した太陽光（紫外線）をスリットを介して光触媒フィルタの裏面側に照射させるように構成されている（【００１７】）こと、及び吹き出し口のブレードの素材は特に限定されるものではないが、透明部材で形成することにより、照射される紫外線量を増加させることができる（【００１８】）ことが記載されている。
　これらの記載からみると、光触媒フィルタが本件請求項１に係る発明の光触媒担持体(5)に相当し、吹き出し口は、空気の吹き出し口であるとともに吹き出し口のスリットを介して光触媒フィルタの裏面側に太陽光を照射させているから太陽光の照射を受ける窓(20)に相当し、窓のスリットを介して光触媒フィルタに太陽光を照射させているから光触媒フィルタが窓の奥に配置されているといえる。また、吹き出し口に設けられている板状ブレードは、ブレード間に設けられたスリットから浄化された空気が排出されることから、排出される空気の向きを規制する風向規制部材に相当するものと認められる。
　すなわち、先願明細書には、自動車の車室内であるリヤシェルフ上に設置されるものであって、太陽光を内部に通す窓を有し、光触媒担体は、窓を通して太陽光の照射を受けるように、窓の奥に配置され、光触媒担持体に光を照射する光源が備えられ、窓は空気を吹き出す吹出口を兼用し、吹出口として機能するスリットの周縁には風向規制部材が設けられている空気清浄装置が記載されているのである。
　しかし、風向規制部材の素材については、特に限定されるものではないが、透明部材で形成することが好ましい旨の記載があるだけで、光を反射する表面を有していることについては何ら記載されていない。そして、風向規制部材が光を反射する表面をもつものが通常のものであるものとも認められない。
　そうすると、先願明細書には、光を反射する表面を有している風向規制部材をもつ空気清浄装置が記載されてないのである。
　したがって、本件の請求項１に係る発明は、該風向規制部材が設けられている空気清浄装置であるから、先願明細書に記載された発明と同一ではない。
  また、請求項２〜４に係る発明は、請求項１に係る発明を更に技術的に限定したものであるから、同様に、先願明細書に記載された発明と同一ではない。
　　
４．むすび
　以上のとおりであるから、本件特許発明が特許法第２９条の２の規定に違反して特許されたものではない。
　また、本件特許については、他に取消理由を発見しない。
　よって、結論のとおり決定する。
【異議決定日】
平成１３年３月７日（２００１．３．７）
【訂正の要旨】
訂正事項ａ
　特許請求の範囲の減縮及び明りょうでない記載の釈明を目的として、特許請求の範囲が
「【請求項１】
　ケーシング（２）内の風路（Ｆ）に、光の照射を受けて空気流中の汚染物質を浄化する光触媒を担持した光触媒担持体（５）が配置されている空気清浄装置（１）において、
　上記ケーシング（２）は、自動車（Ｃ）の車室内に設置されるものであって、太陽光を内部に通す窓（２０）を有し、
　光触媒担持体（５）は、窓（２０）を通して太陽光の照射を受けるように、窓（２０）の奥に配置され、
　光触媒担持体（５）に光を照射する光源（６）が備えられたことを特徴とする空気清浄装置。
　【請求項２】
　請求項１に記載の空気清浄装置（１）において、上記ケーシング（２）は自動車のリヤトレイ（９１）に配置されるものであることを特徴とする空気清浄装置。
　【請求項３】
　請求項２に記載の空気清浄装置（１）において、上記窓（２０）は空気を吹き出す吹出口（１２）を兼用することを特徴とする空気清浄装置。
　【請求項４】
　請求項３に記載の空気清浄装置（１）において、上記吹出口（１２）は、空気流を真上よりも自動車（Ｃ）の進行方向（Ｙ）に関して後向きに吹き出す複数のスリット（９）を含むことを特徴とする空気清浄装置。
　【請求項５】
　請求項３に記載の空気清浄装置（１）において、上記吹出口（１２）は、空気流を上向きに吹き出す複数のスリット（９）を含むことを特徴とする空気清浄装置。」とあるのを
「【請求項１】
　ケーシング（２）内の風路（Ｆ）に、光の照射を受けて空気流中の汚染物質を浄化する光触媒を担持した光触媒担持体（５）が配置されている空気清浄装置（１）において、
　上記ケーシング（２）は、自動車（Ｃ）の車室内に設置されるものであって、太陽光を内部に通す窓（２０）を有し、
　光触媒担持体（５）は、窓（２０）を通して太陽光の照射を受けるように、窓（２０）の奥に配置され、
　光触媒担持体（５）に光を照射する光源（６）が備えられ、
　上記窓（２０）は空気を吹き出す吹出口（１２）を兼用し、
　この吹き出し口（１２）として機能するスリット（９）の周縁には風向規制部材（８）が設けられ、この風向規制部材（８）は光を反射する表面を有していることを特徴とする空気清浄装置。
　【請求項２】
　請求項１に記載の空気清浄装置（１）において、上記ケーシング（２）は自動車のリヤトレイ（９１）に配置されるものであることを特徴とする空気清浄装置。
　【請求項３】
　請求項１に記載の空気清浄装置（１）において、上記吹出口（１２）は、空気流を真上よりも自動車（Ｃ）の進行方向（Ｙ）に関して後向きに吹き出す複数のスリット（９）を含むことを特徴とする空気清浄装置。
　【請求項４】
　請求項１に記載の空気清浄装置（１）において、上記吹出口（１２）は、空気流を上向きに吹き出す複数のスリット（９）を含むことを特徴とする空気清浄装置。」
と訂正し、
訂正事項ｂ
　明りょうでない記載の釈明を目的として、明細書の【０００４】乃至【００１０】が
　「【０００４】
　【課題を解決するための手段】
　この目的を達成するため、……光触媒担持体は、窓を通して太陽光の照射を受けるように、窓の奥に配置され、光触媒担持体（５）に光を照射する光源（６）が備えられたことを特徴とする。
　【０００５】
　この構成によれば、…略…浄化作用を得られる。
　ここで、窓は、…略…ケーシング内の位置である。
　【０００６】…略…
　【０００７】
　ここで、…略…をも含んでいる。
　請求項３に記載の発明の空気清浄装置は、請求項２に記載の空気清浄装置において、上記窓は空気を吹き出す吹出口を兼用することを特徴とする。
　【０００８】
　この構成によれば、…略…太陽光をより一層有効に利用することができる。
　【０００９】
　請求項４に記載の発明の空気清浄装置は、請求項３に記載の空気清浄装置において、…略…を特徴とする。
　この構成によれば、請求項３に記載の発明の作用に加えて、…略…
　【００１０】
　請求項５に記載の発明の空気清浄装置は、請求項３に記載の空気清浄装置において、…略…」とあるのを
「【０００４】
　【課題を解決するための手段】
　この目的を達成するため、…略…光触媒担持体（５）に光を照射する光源（６）が備えられ、上記窓は空気を吹き出す吹出口を兼用し、この吹出口として機能するスリットの周縁には風向規制部材が設けられ、この風向規制部材は光を反射する表面を有していることことを特徴とする。
　【０００５】
　この構成によれば、…略…浄化作用を得られる。
　また、窓を吹出口と別に設けずに済むうえに、この吹出口は空気清浄装置に通常設けられるので、構成を簡素化できる。
　また、吹出口と兼用の窓は、太陽光をそのまま通すことができるので、太陽光により一層有効に利用することができる。
　ここで、窓は、…略…ケーシング内の位置である。
　【０００６】…略…
　【０００７】
　ここで、…略…をも含んでいる。　（以下削除）
　【０００８】　（削除）
　【０００９】
　請求項３に記載の発明の空気清浄装置は、請求項１に記載の空気清浄装置において、…略…を特徴とする。
　この構成によれば、請求項１に記載の発明の作用に加えて、…略…
　【００１０】
　請求項４に記載の発明の空気清浄装置は、請求項１に記載の空気清浄装置において、…略…」
と訂正し、
訂正事項ｃ
　明りょうでない記載の釈明を目的として、明細書の【００４５】乃至【００４７】が
「【００４５】
　【発明の効果】
　請求項１に記載の発明によれば、…略…浄化作用を得ることができる。
　請求項２に記載の発明によれば、…略…太陽光を有効に利用し易い。
　【００４６】
　請求項３に記載の発明によれば、…略…ができる。
　【００４７】
　請求項４に記載の発明によれば、請求項３に記載の発明の効果に加えて、…略…済む。
　請求項５に記載の発明によれば、請求項３に記載…略…。」とあるのを
「【００４５】
　【発明の効果】
　請求項１に記載の発明によれば、…略…浄化作用を得ることができる。
　空気清浄装置に通常設けられる吹き出し口と窓とを兼用しているので、構成を簡素化できる。
　また、吹き出し口と兼用の窓は、太陽光をそのまま通してより一層有効に利用することができる。
　請求項２に記載の発明によれば、…略…太陽光を有効に利用し易い。
　【００４６】　（削除）
　【００４７】
　請求項３に記載の発明によれば、請求項１に記載の発明の効果に加えて、…略…済む。
　請求項４に記載の発明によれば、請求項１に記載…略…。」
と訂正するものである。
（５４）【発明の名称】
空気清浄装置
（５７）【特許請求の範囲】
　【請求項１】
　ケーシング（２）内の風路（Ｆ）に、光の照射を受けて空気流中の汚染物質を浄化する光触媒を担持した光触媒担持体（５）が配置されている空気清浄装置（１）において、
　上記ケーシング（２）は、自動車（Ｃ）の車室内に設置されるものであって、太陽光を内部に通す窓（２０）を有し、
　光触媒担持体（５）は、窓（２０）を通して太陽光の照射を受けるように、窓（２０）の奥に配置され、
　光触媒担持体（５）に光を照射する光源（６）が備えられ
、
　
上記窓（２０）は空気を吹き出す吹出口（１２）を兼用し、
　
この吹出口（１２）として機能するスリット（９）の周縁には風向規制部材（８）が設けられ、この風向規制部材（８）は光を反射する表面を有している
　【請求項２】
　請求項１に記載の空気清浄装置（１）において、上記ケーシング（２）は自動車のリヤトレイ（９１）に配置されるものであることを特徴とする空気清浄装置。
　【請求項３】
　請求項１に記載の空気清浄装置（１）において、上記
吹出口（１２）は、空気流を真上よりも自動車（Ｃ）の進行方向（Ｙ）に関して後向きに吹き出す複数のスリット（９）を含む
　【請求項４】
　請求項
１
上向きに吹き出す複数のスリット（９）を含む
【発明の詳細な説明】
　【０００１】
　【発明の属する技術分野】
光触媒を用いた空気清浄装置に関する。
　【０００２】
　【従来の技術および発明が解決しようとする課題】
　この空気清浄装置は、通常、紫外線を含む光の照射を受けて臭気成分等の汚染物質を分解する光触媒を担持する光触媒担持体と、光触媒に光を照射するための光源ランプと、これらを収容するケーシングとを有している。光源ランプが発する光は紫外線を含むことから、ケーシング内部から外部に光が漏れないようにされ、光源ランプからの光のみで光触媒は励起される。
　【０００３】
　ところで、空気清浄装置を車載型とする場合、特に車室内に設置されるものは、自動車の窓から差し込む太陽光を受け易い。
　そこで、本発明の目的は、光触媒により浄化作用を得られるように、太陽光を有効利用できる空気清浄装置を提供することである。
　【０００４】
　【課題を解決するための手段】
　この目的を達成するため、請求項１に記載の発明の空気清浄装置は、ケーシング内の風路に、光の照射を受けて空気流中の汚染物質を浄化する光触媒を担持した光触媒担持体が配置されている空気清浄装置において、上記ケーシングは、自動車の車室内に設置されるものであって、太陽光を内部に通す窓を有し、光触媒担持体は、窓を通して太陽光の照射を受けるように、窓の奥に配置され、光触媒担持体に光を照、射する光源が備えられ
、上記窓は空気を吹き出す吹出口を兼用し、この吹出口として機能するスリットの周縁には風向規制部材が設けられ、この風向規制部材は光を反射する表面を有している
　【０００５】
　この構成によれば、太陽光を窓を通じて光触媒担持体に照射できるので、太陽光を有効に利用して、光触媒の浄化作用を得ることができる。
　また、太陽光を得にくい場合であっても、光源の光が光触媒担持体を照射して浄化作用を得られる。
　
また、窓を吹出口と別に設けずに済むうえに、この吹出口は空気清浄装置に通常設けられるので、構成を簡素化できる。
　
また、吹出口と兼用の窓は、太陽光をそのまま通すことができるので、太陽光をより一層有効に利用することができる。
　ここで、窓は、光を通すことのできる部分であればよく、透光性部材が設けられていてもよいし、開口が設けられていてもよい。また、窓の奥とは、窓を通った太陽光が到達できるケーシング内の位置である。
　【０００６】
　請求項２に記載の発明の空気清浄装置は、請求項１記載の空気清浄装置において、上記ケーシングは自動車のリヤトレイに配置されるものであることを特徴とする。
　この構成によれば、請求項１に記載の発明の作用に加えて、自動車のリアトレイは、通常、自動車の後部窓を通じて太陽光を受け易いので、この太陽光を空気清浄装置により有効に利用し易い。
　【０００７】
　ここで、リヤトレイは、セダン型の乗用車等の後部座席の上部の後方にある小荷物用の棚である一般的なリヤトレイの他、ワゴン型の乗用車等の後部座席の後方にある手荷物収納部を覆う脱着可能な覆いであるトノカバータイプのリヤトレイをも含んでいる
。
　【０００８】
　【０００９】
　請求項
３
１
　この構成によれば、請求項
１
　【００１０】
　請求項
４
１
　この構成によれば、請求項
１
　【００１１】
　【００１２】
　【発明の実施の形態】
　本発明の好ましい一実施形態の空気清浄装置を添付図面を参照しつつ説明する。図１は、本発明の一実施の形態の空気清浄装置の使用状態を示す説明図であり、自動車も図示されている。図２は、図１の空気清浄装置の概略構成の側面断面図である。
　【００１３】
　本空気清浄装置１は、車載型であって、そのケーシング２は、自動車の車室内に設置されるものである。例えば、空気清浄装置１は、乗用車Ｃの後部座席９０の背後に、リヤトレイ９１の上に載置した状態で設置される。また、後述するように、吹出口１２からの空気流が後方に向くように配置される（矢印Ｆ４）。
　ここで、設置場所としては、セダン型の乗用車等の後部座席９０の上部の後方にある小荷物用の棚であるリヤトレイ９１の他、ワゴン型の乗用車等の後部座席の後方にある手荷物収納部を覆う脱着可能な覆いであるトノカバータイプのリヤトレイの上でもよい。また、リヤトレイに形成した開口や凹部内に、空気清浄装置１の少なくとも一部を落とし込んで設置するようにしてもよい。
　【００１４】
　本空気清浄装置１は、空気を流す風路Ｆを内部に区画するケーシング２と、ケーシング２内にあって紫外線を含む光の照、射を受けて風路Ｆを流れる空気流中の汚染物質を浄化する光触媒を担持した光触媒担持体５とを備えている。この光触媒担持体５は、上述の風路内に配置されている。
　本発明の空気清浄装置１のケーシング２は、太陽光を内部に通す窓２０を備えている。そして、光触媒担持体５は、窓２０を通して太陽光の照射を受けるように、窓２０の奥に配置されている。例えば、光触媒担持体５は、窓２０を通った太陽光の直射を受けることができるように、窓２０の近傍のケーシング２内に配置されている。このように、太陽光を窓２０を通じて光触媒担持体５に照射できるので、太陽光を有効に利用して、光触媒の浄化作用を得ることができる。
　【００１５】
　以下、詳細に説明する。
　図３は、図１の空気清浄装置１の正面断面図である。図４は、図１の空気清浄装置１の断面平面図である。また、以下の説明では、本空気清浄装置１が車内に設置されるときの状態に基づいて、方向を説明する。すなわち、自動車の進行方向（矢印Ｙ方向）を前後方向とし、自動車の進行方向に対する左右方向（矢印Ｘ方向）、および上下方向（矢印Ｚ方向）を、そのまま使用する。
　【００１６】
　本空気清浄装置１は、図３に示すように、上述のケーシング２と、上述の光触媒担持体５との他、光触媒担持体５に光を照射する光源６と、風路内に空気流を生成するシロッコファンからなる送風ファン４１と、風路を流れる空気中の塵埃を捕獲する集塵フィルタ３とを有している。また、光源６を発光させるための駆動回路等を含む回路基板７が設けられ、これは、例えば、シガーソケット７１を介して自動車のバッテリーより給電されるように構成されている。
　【００１７】
　ケーシング２は、図２に示すように、略直方体形状に形成された中空の箱であり、上下方向に薄く形成されている。また、ケーシング２は、図４に示すように、左右方向を長手方向とした平面形状を有している。ケーシング２を車内に設置する場合には、上述の長手方向（矢印Ｘ）を自動車の左右方向に沿わせて設置する。
　【００１８】
　ケーシング２の上面２７は、図２に示すように、水平面からなる前半部と後方へ下がって傾斜する後半部とで折れ曲がり状に形成されている。これにより、上面２７と自動車の後部窓ガラス９３とがぶっからないようにできるので、後部窓ガラス９３が大きく傾斜している場合に、空気清浄装置１をリヤトレイ９１上に設置しやすい。
　【００１９】
　ケーシング２の内部には、吸込口１１から下方に延びる第１エリア（図３の右側に図示した矢印Ｆ１で示す空気流が流れる領域）と、この第１エリアの下部と連通開口２８ａで互いに連通して上下に延びる第２エリア（図３の左側に図示した矢印Ｆ２で示す空気流が流れる領域）とが区画されている。第１エリアおよび第２エリアにより上述の風路が区画されている。吸込口１１の真下に、集塵フィルタ３が、その下に送風ファン４１が配置され、第２エリアの上部に光触媒担持体５および光源６が配置されている。第２エリアの上端部に上述の窓２０が設けられている。この窓２０は、風路から空気を吹き出す吹出口１２を兼用している
　【００２０】
　窓２０は、図２に示すように、ケーシング２の上面２７に形成された複数のスリット９からなり、これらのスリット９を通じて太陽光をケーシング２内部に導入することができる。
　吹出口１２は、上述の複数のスリット９からなっている。これらのスリット９は、空気清浄装置１を上述のように車内に設置したときに、空気流を自動車の進行方向に関して後ろ斜め上方に吹き出すことができる。
　【００２１】
　スリット９は、全て、窓２０として機能するとともに、吹出口１２としても機能する。スリット９は、ケーシング２の長手方向に長い矩形の開口であり、その周縁には、風向規制部材８が設けられている。
　風向規制部材８は、スリット９の後側周縁の一部とつながつた状態で、前寄り部分が下がるようにして切り起こされた平行平板からなり、ケーシング２の上面２７と一体に形成されている。各風向規制部材８は、互いに平行に設けられ、水平面ＨＬに対して所定角度Ｄで傾いている。これにより、風向規制部材８は、スリット９を流出しようとする空気流を後方に流れるように促す。
　【００２２】
　ここで、所定角度は、太陽光を導入し易い角度に設定されている。例えば、太陽光は後部窓から入ることから、風向規制部材８が自動車の後部窓に向かうような角度に所定角度は設定されている。所定角度は、空気清浄装置１を設置する位置や自動車の後部窓の位置や大きさに応じて決めることができ、０度〜９０度であればよい。後部窓が大きくてリヤトレイの上方を広くおおう場合であれば、所定角度を４５度〜９０度に設定することができる。また、ワゴン型の自動車のように後部窓が真後ろにある場合には、所定角度を０度〜３０度に設定することも考えられる。また、昼間、太陽は自動車の斜め上方にあるので、なるべく上向きとするのが好ましく、特に、所定角度を４５度〜７５度に設定するのが好ましい。
　【００２３】
　また、風向規制部材８が、光を反射する表面を有している場合がある。この場合、季節、時間帯、自動車の状態や空気清浄装置１の設置状況に応じて、太陽光の入射方向Ｒが多少異なることが想定されるときに、風向規制部材８が太陽光を妨げることがあったとしても、太陽光は風向規制部材８の表面で反射されて、ケーシング２内に至ることができる。
　【００２４】
　このように、太陽光は、スリット９をそのまま通り抜けたり、または、風向規制部材８の表面で反射されながら、ケーシング２内に導入され、光触媒担持体５に至ることができる。
　【００２５】
　光触媒担持体５は、板状に形成され、一対が互いに対向して配置されている。一対の光触媒担持体５は、その板面を水平にして、上下に並んでいる。また、一対の光触媒担持体５の間に挟まって、上述の光源６が配置されている。
　光触媒担持体５は、光触媒と、これを担持した担持体とからなる。この担持体は、例えば、ハニカム構造体で構成されている。このハニカム構造体は、表面となる通気面５ａと、この通気面５ａと交差する方向に延びる多数の互いに平行な通気孔とを有する。
　光触媒担持体５の通気面５ａは水平に延び、空気流の流れ方向と交差して配置されている。このとき、光触媒担持体５の通気孔は、鉛直方向に延びている。
　【００２６】
　また、光触媒担持体５の、窓２０側の通気面５ａ（上面）と、太陽光の入射方向Ｒとは、互いに交差して配置されている。また、光触媒担持体５の通気孔の延びる方向であり空気流の流れ方向（矢印Ｆ２参照）と、入射方向とは互いに交差している。これにより、太陽光は光触媒担持体５の内部にまで入り込んで照明することができる。
　【００２７】
　ハニカム構造体は、例えば、塩化ビニル樹脂で形成された、互いに平行な多数の平板と、隣接する平板間に配置された波形板とを含んでいる。ハニカム構造体は、平板と波形板とを交互に多数積層して、積層する方向に延びた表面および裏面を有する板状に形成され、表面および裏面に開口する多数の通気孔を有している。これら平板および波形板の表面または内部に、光、特に紫外線の照射を受けて臭い成分等を分解する光触媒が担持されている。
　【００２８】
　光触媒は、光を吸収し、そのエネルギを反応物質に与えて化学反応を起こさせる物質を意味する。この光触媒が有する主な機能としては、▲１▼臭い成分の除去による脱臭機能や、▲２▼臭い成分でない汚染物質を分解する機能や、▲３▼微生物の殺菌やウィルスの不活化を行なう機能（いわゆる殺菌、抗菌機能）等も含まれるが、これらの機能は、何れも光触媒の有する酸化分解機能によって達成されるものである。
　【００２９】
　ここで、酸化分解機能を有する光触媒としては、アナタース型の結晶構造を持つ酸化チタン（Ｔｉ０２）を例示することができる。このアナタース型の結晶構造を持つ酸化チタンであれば、弱い光でも高い浄化能力を発揮できる点で好ましい。また、酸化亜鉛（ＺｎＯ）および酸化タングステン（ＷＯ３）等を用いてもよい。
　【００３０】
　光源６は、例えば、直管型の冷陰極型蛍光ランプである。光源６は、特に、波長３２０〜４２０ｎｍの紫外線を含む光を発することができ、ＴｉＯ２、ＺｎＯ等の光触媒を活性化させて効率よく汚染物質を浄化することができる。特に、冷陰極型蛍光ランプは、熱陰極型蛍光ランプに比べて一般に小型、長寿命であり、好ましい。
　【００３１】
　光源６は、複数、例えば２本が設けられて、互いに協働して、一対の光触媒担持体５の片側の表面の略全域をそれぞれ照明する。
　なお、光触媒担持体５や光源６は、上述の構成に限定されない。例えば、光触媒担持体５は、波形板を用いたものの他、ポリエステル系不織布等の繊維に光触媒をコーティングしたものでもよい。要は、光触媒を担持しているものであればよい。また、光源６としては、光触媒を励起できる光を発することができるものであればよく、特に、紫外線を照射できるものが、浄化効率を高めるうえで好ましい。
　【００３２】
　本空気清浄装置１では、送風ファン４１がファンモータ４２により回転駆動されると、空気は、吸込口１１から下向きに吸い込まれる。空気は、風路の第１エリアで、集塵フィルタ３を下向きに通り（矢印Ｆ１）、ファンケーシング４３内から連通開口２８ａを通って第２エリアへ至り（矢印Ｆ３）、第２エリアで上向きに流れて、光触媒担持体５を通って、光触媒により浄化されて（矢印Ｆ２）、吹出口１２から吹き出される（矢印Ｆ４）。
　【００３３】
　その間、２本の光源６は、上側の光触媒担持体５の下面と、下側の光触媒担持体５の上面を照明して、光源６の全周に照射される光を効率よく利用して、光触媒を励起させる。
　また、自動車が日中の屋外にある場合等には、太陽光が自動車の後部窓を通じて、真上から真後ろにかけての後ろ斜め上方から車内に差込む。太陽光は、窓２０のスリット９を通じて、ケーシング２内に至り、上側の光触媒担持体５の上面を照明する。その結果、光触媒は、太陽光によっても励起される。また、太陽光は、上側の光触媒担持体５を通り抜けると、下側の光触媒担持体５の上面を照明して、そこの光触媒をも励起させる。
　【００３４】
　このようにして、一対の光触媒担持体５の光触媒は、太陽光および光源６からの光、主に紫外線を受けることによって、活性化して臭い成分等の汚染物質を浄化する。
　また、太陽光を通せる窓２０であれば、太陽光の他、建物内にある照明からの光も通すことができる。このように外部の光を利用して、光触媒による浄化作用を得ることができる。
　【００３５】
　このように本実施の形態によれば、太陽光を窓２０を通じて光触媒担持体５に照射できるので、太陽光を有効に利用して、光触媒の浄化作用を得ることができる。
　従って、光源６の光と太陽光とを同時にともに利用して、高い浄化能力の空気清浄装置１を得ることができる。または、太陽光で照明されるときには、光源６の光を弱めたり、発光を止めたりして、浄化作用を得つつ、消費エネルギーを削減することもできる。または、高い浄化能力を得られるので、所要の浄化能力に見合うように、光触媒担持体５や光源６を小型化することができる。
　【００３６】
　ここで、窓２０は、光を通すことのできるケーシング２の部分であればよく、透明な樹脂材料やガラス等の透光性部材が設けられていてもよいし、上述のスリット９のような開口が開けられていてもよい。
　また、自動車のリヤトレイ９１は、通常、自動車の後部窓２０を通じて太陽光を受け易いので、自動車のリヤトレイ９１に配置されるケーシング２であれば、太陽光を空気清浄装置１により有効に利用し易い。
　【００３７】
　また、窓２０は吹出口１２を兼用している。これにより、窓２０を吹出口１２と別に設けずに済むうえに、この吹出口１２は空気清浄装置１に通常設けられるので、構成を簡素化できる。また、吹出口１２と兼用の窓２０は、太陽光をそのまま通すことができるので、太陽光をより一層有効に利用することができる。
　ここで、窓２０と吹出口１２とは、少なくともその一部同士を兼用していればよい。
　【００３８】
　また、吹出口１２は、空気流を自動車の進行方向に関して後方に吹き出す複数のスリット９を含み、このスリット９を窓２０と兼用できるので、自動車の後方から入射する太陽光を導入し易く、光触媒担持体５に照射し易い。しかも、本空気調和装置１を車内、例えばリヤトレイ上に設置したときに、吹出口１２からの空気流が後部座席９０に座っている人の後頭部に直接吹きつけられることがなく、ドラフト感を防止することができて、快適な空気清浄装置１を得ることができる。ここで、この効果を得られる吹出口１２の吹出方向としては、真上よりも自動車の進行方向に関して後ろ向きであればよい。
　【００３９】
　特に、吹出口１２は、空気流を後ろ斜め上方に吹き出す複数のスリット９を含み、このスリット９を窓２０と兼用する場合には、太陽光は通常自動車の後ろ斜め上方から入射することから、上述の窓２０であれば太陽光を導入し易い。
　また、本空気清浄装置１は、光源６を備えているので、夜間のように、太陽光を得られない場合であっても、光源６の光により光触媒担持体５を照、射して浄化作用を得ることができる。
　【００４０】
　また、太陽光が、上側の光触媒担持体５を照、明した後に、さらに下側の光触媒担持体５に至ることができるように、一対の光触媒担持体５が配置されているので、太陽光をより一層効率よく利用することができる。
　また、光源６は、一般に細径の冷陰極管であるので、太陽光の通る光路の途中に配置する場合であっても、邪魔になり難く、光源６の光と太陽光とが同じ方向から光触媒担持体５を照、明する場合に都合がよい。
　【００４１】
　なお、光源６を省略した構成としてもよい。この場合には、構成を簡素化することができる。
　また、吹出口１２のスリット９は、空気流を上に向けて吹き出すようにしても良い。例えば、上述の風向規制部材８を省略すると、スリット９からの空気流は真上に向けて吹き出される。このように、空気流を上向きに吹き出す複数のスリット９を窓２０と兼用する場合には、自動車の上方から入射する強い太陽光を光触媒担持体５に照射し易い。
　【００４２】
　また、吹出口１２は、風向規制部材８を有しない構成でもよい。この場合にも、吹出口１２と窓２０とを兼用することができる。また、吹出口１２や窓２０は、上面２７に限定されず、例えば、ケーシング２の後面や側面等に設けられてもよい。
　また、窓２０は吹出口１２と兼用されていたが、これには限定されない。例えば、集塵フィルタ３に光触媒を担持させる場合には、窓２０と吸込口１１とを兼用することが考えられる。
　【００４３】
　また、上述の実施の形態では、空気清浄装置１は、送風ファン４１をケーシング２内に有していたが、これには限定しない。例えば、光触媒担持体５をケーシング２内に設け、このケーシング２内の風路に空気を流すための、別途設けた送風ファン等を組み合わせてもよい。
　また、空気清浄装置１を、脱臭機能だけを有する脱臭専用型としてもよく、この場合には集塵フィルタ３を省略することができる。
　【００４４】
　このように、ケーシング２、風路Ｆ、集塵フィルタ３、送風ファン４１等の構成や配置は、上述のものに限定されない。要は、ケーシング内に光触媒担持体５が配置されていればよい。
　その他、本発明の要旨を変更しない範囲で種々の設計変更を施すことが可能である。
　【００４５】
　【発明の効果】
　請求項１に記載の発明によれば、窓を通じた太陽光を有効利用して、光触媒により浄化作用を得られ、その結果、例えば、光源の光と太陽光をともに利用して、浄化能力の高い空気清浄装置を得ることができる。
　また、太陽光を得にくい場合であっても、光源の光により浄化作用を得ることができる。
　
空気清浄装置に通常設けられる吹出口と窓とを兼用しているので、構成を簡素化できる。
　
また、吹出口と兼用の窓は、太陽光をそのまま通してより一層有効に利用することができる。
　請求項２に記載の発明によれば、請求項１に記載の発明の効果に加えて、リアトレイに配置することで、太陽光を有効に利用し易い。
　【００４６】
　【００４７】
　請求項
３
１
　請求項
４
１
　【００４８】
【図面の簡単な説明】
　【図１】
　本発明の一実施の形態の空気清浄装置の、自動車の車内での使用状態で示す側面図である。
　【図２】
　図１の空気清浄装置の概略構成の断面側面図であり、図３のＢ−Ｂ断面を示す。
　【図３】
　図１の空気清浄装置の正面断面図である。
　【図４】
　図１の空気清浄装置の平面図であり、図３のＡ−Ａ断面を示す。
　【符号の説明】
　１　空気清浄装置
　２　ケーシング
　５　光触媒担持体
　６　光源
　９　スリット
　１２　吹出口
　２０　窓
　９１　リヤトレイ
　Ｆ　風路
　Ｙ　進行方向